(57)【要約】      （修正有）【課題】太陽光発電体を所定の傾斜角度に保持することができるとともに傾斜角度も変更することが可能な新規な可搬式太陽光発電装置を提供する。【解決手段】ベース部材６，７と、回動自在に連結され上面で太陽光発電体２，３，４を支持する発電体支持部材と、上端は発電体支持部材の中途部において回動自在に連結され、下端は各ベース部材に取外し可能に係止された複数の支柱部材４１，４３と、各ベース部材の先端側に配置される移動用車輪２７，２８と、移動時に把持する把手３５と、を備え、複数の太陽光発電体からなり最も左側に配置された太陽光発電体３の左端部と最も右側に配置された太陽光発電体４の右端部との間が接近及び離間自在とされてなるか、又は、単一の太陽光発電体の左端と右端との間が接近及び離間自在とされてなるとともに、上記各支柱部材の下端は、上記ベース部材の長さ方向に係止位置又は連結位置を変更可能とされてなる。【選択図】図２
2014175352.tif 000002
【特許請求の範囲】
【請求項１】
使用状態において、地面に支持される複数のベース部材と、
これらのベース部材の先端側において回動自在に連結されてなるとともに、太陽光発電素子が形成された単一又は複数の太陽光発電体を上面で支持する発電体支持部材と、
上端は上記発電体支持部材の中途部において回動自在に連結され、下端は上記各ベース部材に取外し可能に係止され又は着脱可能に連結されてなり、上記太陽光発電体及び上記発電体支持部材の荷重を支持する複数の支柱部材と、
上記各ベース部材のうち少なくとも一つのベース部材の先端側にそれぞれ配置され地面に接触しながら転動する移動用車輪と、
上記移動用車輪が配置された支柱部材の該移動用車輪が配置された位置とは反対側の端部に配置されてなり、作業者又は使用者が移動時に把持する把手と、を備えてなるとともに、
上記各ベース部材には、上記各支柱部材の下端が選択的に係止され又は連結される複数の係合部が該ベース部材の長さ方向に形成されてなるとともに、
上記太陽光発電体は複数の太陽光発電体からなり最も左側に配置された太陽光発電体の左端部と最も右側に配置された太陽光発電体の右端部との間が接近及び離間自在とされてなるか、又は、単一の太陽光発電体の左端と右端との間が接近及び離間自在とされてなることを特徴とする可搬式太陽光発電装置。
【請求項２】
前記発電体支持部材には、第１の太陽光発電体が固定されてなるとともに、この第１の太陽光発電体の上方には第２の太陽光発電体が配置され、上記第１の太陽光発電体の下側には第３の太陽光発電体が配置され、
上記第２の太陽光発電体の少なくとも上端又は下端の何れかには一方方向に該第２の太陽光発電体をスライドガイドする一方のスライドレールが配置され、上記第３の太陽光発電体の少なくとも上端又は下端の何れかには他方方向に該第２の太陽光発電体をスライドガイドする他方のスライドレールが配置されてなり、
上記第１ないし第３の太陽光発電体が上下方向に重なった状態から、該第１の太陽光発電体の一方方向に上記第２の太陽光発電体が上記一方のスライドレールによりスライドガイドされて引き出され、上記第１の太陽光発電体の他方方向に上記第３の太陽光発電体が上記他方のスライドレールによりスライドガイドされて引き出されるように構成されてなることを特徴とする請求項１記載の可搬式太陽光発電装置。
【請求項３】
前記発電体支持部材の上端又は下端の少なくとも何れか一方若しくは前記一方及び他方のスライドレールには、
前記第２の太陽光発電体が前記一方のスライドレールによってスライドガイドされる際に転動する一方のスライド用車輪が配置されてなるとともに、該第２の太陽光発電体の一側には一方のスライド用把手が固定されてなり、
前記第３の太陽光発電体が前記他方のスライドレールによってスライドガイドされる際に転動する他方のスライド用車輪が配置されてなるとともに、該第３の太陽光発電体の他側には他方のスライド用把手が固定されてなることを特徴とする請求項２記載の可搬式太陽光発電装置。
【請求項４】
前記ベース部材は、互いに平行に配置された左側ベース部材と右側ベース部材と、これら左側ベース部材と右側ベース部材側との間に配置された内側ベース部材と、からなり、
上記内側ベース部材の先端側には、前記移動用車輪が転動自在に配置されてなるとともに、上記内側ベース部材の基端側には、前記作業者又は使用者が移動時に把持する把手が配置され、
前記発電体支持部材は、
上記左側ベース部材の先端側と回動自在に連結された左支持部材と、上記右側ベース部材の先端側と回動自在に連結された右支持部材と、上記内側ベース部材の先端側と回動自在に連結された内側支持部材と、
上記左支持部材と上記内側支持部材とを連結する左連結部材と、上記右支持部材と上記内側支持部材とを連結する右連結部材と、を備え、
上記左連結部材は、その左端又は右端の何れか一方が上記左支持部材又は内側支持部材の何れか一
方と着脱可能とされてなるとともに、該左連結部材の着脱可能とされていない右端又は左端は、該内側支持部材又は左支持部材に対して回動自在に連結されてなり、
上記右連結部材は、その左端又は右端の何れか一方が上記右支持部材又は内側支持部材の何れか一方と着脱可能とされてなるとともに、該右連結部材の着脱可能とされていない右端又は左端は、該右支持部材又は内側支持部材に対して回動自在に連結されてなり、
上記左支持部材、右支持部材、内側支持部材には、それぞれ上記発電体支持部材に支持された太陽光発電体及び該発電体支持部材の荷重を支持するとともに、それぞれの下端は上記左側ベース部材、右側ベース部材、内側ベース部材に取外し可能に係止され又は着脱可能に連結されてなる支柱部材の上端が、該左支持部材、右支持部材、内側支持部材に対して回動自在に取り付けられてなるとともに、
前記太陽光発電体は、可撓性を有するシート体上に、上記左支持部材及び右支持部材の長さ方向と同じ方向に長さを有する複数の太陽光発電素子が該左支持部材から右支持部材方向に所定間隔隔てた状態で並列して固定されてなるとともに互いに電気的に接続されてなり、これらの太陽光発電素子と太陽光発電素子との間は山部と谷部とが交互に形成されるよう上記シート体が折曲可能となされ、該シート体の左端は上記左支持部材に固定され、該シート体の右端は上記右支持部材に固定され、
上記左支持部材が上記内側支持部材に近接するよう操作されるとともに上記右支持部材が該内側支持部材に近接するよう操作されることにより、上記太陽光発電体は縮小されることを特徴とする請求項１記載の可搬式太陽光発電装置。
【請求項５】
前記太陽光発電体は、前記左支持部材と右支持部材とが最も離間された状態において、前記発電体支持部材に支持された太陽光発電体は、山部と谷部とが交互に形成されてなり、各太陽光発電素子が傾斜した状態とされてなることを特徴とする請求項４記載の可搬式太陽光発電装置。
【請求項６】
前記左支持部材又は前記右支持部材の何れかには、
基端が収納ケース内に配置された巻き取りドラムの外周面に固定され、先端は上記左支持部材又は右支持部材の何れかに固定され又は着脱可能に係止されてなるとともに、前記太陽光発電体としての太陽光発電素子が形成されたフィルム状の可撓性太陽光発電体が配置されてなり、上記収納ケース内には、上記フィルム状の可撓性太陽光発電体を巻き取る方向に上記巻き取りドラムを付勢する弾性材が配置されてなることを特徴とする請求項４記載の可搬式太陽光発電装置。
【請求項７】
前記内側支持部材には、
基端が収納ケース内に配置された巻き取りドラムの外周面に固定され、先端は上記左支持部材に固定され又は着脱可能に係止されてなるとともに、前記太陽光発電体としての太陽光発電素子が形成されたフィルム状の第１可撓性太陽光発電体と、
基端が収納ケース内に配置された巻き取りドラムの外周面に固定され、先端は上記右支持部材に固定され又は着脱可能に係止されてなるとともに、前記太陽光発電体としての太陽光発電素子が形成されたフィルム状の第２可撓性太陽光発電体と、がそれぞれ平行に並んで配置されてなり、
上記各収納ケース内には、上記フィルム状の第１可撓性太陽光発電体又は第２可撓性太陽光発電体を巻き取る方向に上記巻き取りドラムを付勢する弾性材がそれぞれ配置されてなることを特徴とする請求項４記載の可搬式太陽光発電装置。
【発明の詳細な説明】
【技術分野】
【０００１】
本発明は、太陽光発電装置に係るものであって、特に、移動可能とされてなるとともにコンパクト化可能な太陽光発電装置に関するものである。
【背景技術】
【０００２】
これまで太陽光発電装置は、国の電力買取制度の創設を背景に、家屋，ビル又は工場等の構造物の屋根や屋上に多数設置されたり、広い敷地に数多く設置されたりすることが多い。こうした構造物や敷地に多数設置されている太陽光発電装置は、複数のセルからなるモジュールが所定の面積に配置された太陽光発電体（太陽光パネル等）が架台により傾斜した状態で支持されてなるものが多い。他方、上記太陽光発電装置は、古くは電卓の電源として使用されたり、近年では、携帯電話等の家電製品等を充電したりするためのバッテリーとして利用されているものも存在する。
【０００３】
ところで、上述した構造物や敷地に設置された太陽光発電装置では、該構造物等に固定されたものであり、持ち運びが不能である一方、家電製品を充電する用途として販売されている太陽光発電装置では、持ち運びに適している半面、得られる電力が小さい。換言すれば、商用電源を得られる環境にない場所や震災等の天災地変により電源設備が使用不能となった場所においても、所定量の発電が可能となり、移動させることが容易となり（可搬性を有し）しかも持ち運びが簡便となるようにコンパクト化することが可能な（折畳性又は伸縮性を有する）太陽光発電装置が求められている。
【０００４】
そこで、こうした機能を備えた太陽光発電装置としては、以下に羅列するものが種々提案されている。例えば、上面に太陽光発電体が配置された大小複数のハッチカバーを入れ子状に組み付け、これら大小のハッチカバーを伸縮可能としたもの（特許文献１参照）や、長方形状のバッグ内に複数の太陽光発電体を折り畳んだ状態で収容したもの（特許文献２参照）等が存在する。上記特許文献１，２に開示されたそれぞれの太陽光発電装置によれば、それぞれコンパクト化され可搬性があり、少なくとも複数の太陽光発電素子を構成要素とされていることから、所定の電力量を得ることが可能となる。
【先行技術文献】
【特許文献】
【０００５】
【特許文献１】特開２００３−３１８４３３号公報
【特許文献２】実用新案登録第３１７７８１３号公報
【発明の概要】
【発明が解決しようとする課題】
【０００６】
しかしながら、上記特許文献１，２に開示された太陽光発電装置では、何れも太陽光発電体を所定の傾斜角度に保持することができないばかりか、該傾斜角度を変更することも不能である。
【０００７】
そこで、本発明は、上述した従来の太陽光発電装置が有する課題を解決するために提案されたものであって、可搬性を有しコンパクト化可能であるばかりではなく、太陽光発電体を所定の傾斜角度に保持することができるとともに傾斜角度も変更することが可能な新規な可搬式太陽光発電装置を提供することを目的とするものである。
【課題を解決するための手段】
【０００８】
本発明は、上記課題を解決するために提案されたものであって、第１の発明（請求項１記載の発明）は、
使用状態において、地面に支持される複数のベース部材と、これらのベース部材の先端側において回動自在に連結されてなるとともに、太陽光発電素子が形成された単一又は複数の太陽光発電体を上面で支持する発電体支持部材と、上端は上記発電体支持部材の中途部において回動自在に連結され、下端は上記各ベース部材に取外し可能に係止され又は着脱可能に連結されてなり、上記太陽光発電体及び上記発電体支持部材の荷重を支持する複数の支柱部材と、上記各ベース部材のうち少なくとも一つのベース部材の先端側にそれぞれ配置され地面に接触しながら転動する移動用車輪と、上記移動用車輪が配置された支柱部材の該移動用車輪が配置された位置とは反対側の端部に配置されてなり、作業者又は使用者が移動時に把持する把手と、を備えてなるとともに、上記各ベース部材には、上記各支柱部材の下端が選択的に係止され又は連結される複数の係合部が該ベース部材の長さ方向に形成されてなるとともに、上記太陽光発電体は複数の太陽光発電体からなり最も左側に配置された太陽光発電体の左端部と最も右側に配置された太陽光発電体の右端部との間が接近及び離間自在とされてなるか、又は、単一の太陽光発電体の左端と右端との間が接近及び離間自在とされてなることを特徴とするものである。
【０００９】
この第１の発明に係る可搬式太陽光発電装置では、ベース部材の先端と太陽光発電体を支持する発電体支持部材とは、回動自在に連結されていることから、使用状態において地面に対して水平に設置される各ベース部材と発電体支持部材との角度を変更することができる。そして、上記各支柱部材は、上端は上記発電体支持部材の中途部において回動自在に連結され、下端は上記各ベース部材に取外し可能に係止され又は着脱可能に連結されてなるとともに、各ベース部材には、上記各支柱部材の下端が選択的に係止され又は連結される複数の係合部が該ベース部材の長さ方向に形成されてなることから、上記発電体支持部材（太陽光発電体）の角度を適宜変更することが可能となる。
【００１０】
さらに、この発明に係る可搬式太陽光発電装置では、上記移動用車輪と把手を備えているとともに、上記支柱部材の下端は、上記ベース部材に取外し可能に係止され又は着脱可能に連結されてなることから、この支柱部材の下端をベース部材との係合を解除させ又は取り外すとともに、上記ベース部材に支柱部材と発電体支持部材とが沿った状態となるように操作し、作業者又は使用者が上記把手を把持し移動させることにより、上記各移動用車輪は地表に接触しながら転動し、容易に他所に移動させることが可能となる。換言すれば、この可搬式太陽光発電装置によれば、全体形状をコンパクト化することができることから、倉庫その他の構造物内や自動車等に収容する際にも嵩張ることがないとともに、移動させる場合には、上記把手を把持しながら移動用車輪を転動させることにより、任意の場所に移動させることができ、極めて使い勝手の良いものとなる。
【００１１】
また、第２の発明（請求項２記載の発明）は、上記第１の発明において、前記発電体支持部材には、第１の太陽光発電体が固定されてなるとともに、この第１の太陽光発電体の上方には第２の太陽光発電体が配置され、上記第１の太陽光発電体の下側には第３の太陽光発電体が配置され、上記第２の太陽光発電体の少なくとも上端又は下端の何れかには一方方向に該第２の太陽光発電体をスライドガイドする一方のスライドレールが配置され、上記第３の太陽光発電体の少なくとも上端又は下端の何れかには他方方向に該第２の太陽光発電体をスライドガイドする他方のスライドレールが配置されてなり、上記第１ないし第３の太陽光発電体が上下方向に重なった状態から、該第１の太陽光発電体の一方方向に上記第２の太陽光発電体が上記一方のスライドレールによりスライドガイドされて引き出され、上記第１の太陽光発電体の他方方向に上記第３の太陽光発電体が上記他方のスライドレールによりスライドガイドされて引き出されるように構成されてなることを特徴とするものである。
【００１２】
この第２の発明に係る可搬式太陽光発電装置では、太陽光発電体は複数の太陽光発電体、すなわち、第１ないし第３の太陽光発電体が上記発電体支持部材により支持されてなるものであり、最も一方方向（左側又は右側）に配置された（第２又は第３の）太陽光発電体の左端部と最も他方方向に配置された（第３又は第２の）太陽光発電体の右端部との間が、上記一方又は他方のスライドレールによりスライドガイドされることにより、接近及び離間自在とされてなるものであることから、使用状態（発電状態）においては、上記第１ないし第３の太陽光発電体により発電可能であるとともに、第２の太陽光発電体と第３の太陽光発電体とが第１の太陽光発電体と上下に重なるようにスライドすることにより、コンパクト化されるものである。
【００１３】
また、第３の発明（請求項３記載の発明）は、上記第２の発明において、前記発電体支持部材の上端又は下端の少なくとも何れか一方若しくは前記一方及び他方のスライドレールには、上記第２の太陽光発電体が前記一方のスライドレールによってスライドガイドされる際に転動する一方のスライド用車輪が配置されてなるとともに、該第２の太陽光発電体の一側には一方のスライド用把手が固定されてなり、上記第３の太陽光発電体が前記他方のスライドレールによってスライドガイドされる際に転動する他方のスライド用車輪が配置されてなるとともに、該第３の太陽光発電体の他側には他方のスライド用把手が固定されてなることを特徴とするものである。
【００１４】
この第３の発明に係る可搬式太陽光発電装置では、前記発電体支持部材の上端又は下端の少なくとも何れか一方には、前記第２の太陽光発電体が前記一方のスライドレールによってスライドガイドされる際に転動する一方のスライド用車輪が配置されてなるとともに該第２の太陽光発電体の一側には一方のスライド用把手が固定されてなり、前記第３の太陽光発電体が前記他方のスライドレールによってスライドガイドされる際に転動する他方のスライド用車輪が配置されてなるとともに該第３の太陽光発電体の他側には他方のスライド用把手が固定されてなることから、上記一方のスライド用車輪又は他方のスライド用車輪の転動により、上記第２の太陽光発電体や第３の太陽光発電体を極めてスムーズに一方方向又は他方方向に引き出すことが可能となり、また、該第１の太陽光発電体の上方に重なるように操作する場合もスムーズとなる。
【００１５】
また、第４の発明（請求項４記載の発明）は、上記第１の発明において、前記ベース部材は、互いに平行に配置された左側ベース部材と右側ベース部材と、これら左側ベース部材と右側ベース部材側との間に配置された内側ベース部材と、からなり、上記内側ベース部材の先端側には、前記移動用車輪が転動自在に配置されてなるとともに、上記内側ベース部材の基端側には、前記作業者又は使用者が移動時に把持する把手が配置され、前記発電体支持部材は、上記左側ベース部材の先端側と回動自在に連結された左支持部材と、上記右側ベース部材の先端側と回動自在に連結された右支持部材と、上記内側ベース部材の先端側と回動自在に連結された内側支持部材と、上記左支持部材と上記内側支持部材とを連結する左連結部材と、上記右支持部材と上記内側支持部材とを連結する右連結部材と、を備え、上記左連結部材は、その左端又は右端の何れか一方が上記左支持部材又は内側支持部材の何れか一方と着脱可能とされてなるとともに、該左連結部材の着脱可能とされていない右端又は左端は、該内側支持部材又は左支持部材に対して回動自在に連結されてなり、上記右連結部材は、その左端又は右端の何れか一方が上記右支持部材又は内側支持部材の何れか一方と着脱可能とされてなるとともに、該右連結部材の着脱可能とされていない右端又は左端は、該右支持部材又は内側支持部材に対して回動自在に連結されてなり、上記左支持部材、右支持部材、内側支持部材には、それぞれ上記発電体支持部材に支持された太陽光発電体及び該発電体支持部材の荷重を支持するとともに、それぞれの下端は上記左側ベース部材、右側ベース部材、内側ベース部材に取外し可能に係止され又は着脱可能に連結されてなる支柱部材の上端が、該左支持部材、右支持部材、内側支持部材に対して回動自在に取り付けられてなるとともに、前記太陽光発電体は、可撓性を有するシート体上に、上記左支持部材及び右支持部材の長さ方向と同じ方向に長さを有する複数の太陽光発電素子が該左支持部材から右支持部材方向に所定間隔隔てた状態で並列して固定されてなるとともに互いに電気的に接続されてなり、これらの太陽光発電素子と太陽光発電素子との間は山部と谷部とが交互に形成されるよう上記シート体が折曲可能となされ、該シート体の左端は上記左支持部材に固定され、該シート体の右端は上記右支持部材に固定され、上記左支持部材が上記内側支持部材に近接するよう操作されるとともに上記右支持部材が該内側支持部材に近接するよう操作されることにより、上記太陽光発電体は縮小されることを特徴とするものである。
【００１６】
上記第４の発明に係る可搬式太陽光発電装置では、先ず、上記太陽光発電体を支持する発電体支持部材を構成する左支持部材、右支持部材、内側支持部材は、上記左側ベース部材、右側ベース部材、内側ベース部材の先端側と回動自在に連結されていることから、これらを回動させることにより、左支持部材と左側ベース部材とが、また、右支持部材と右側ベース部材とが、内側支持部材と内側ベース部材とが、それぞれ平行又はそれに近い状態に沿わせることができる。また、上記左連結部材の左端又は右端の何れかは、上記左支持部材又は内側支持部材の何れか一方と着脱可能とされてなるとともに、該左連結部材の着脱可能とされていない右端又は左端は、該内側支持部材又は左支持部材に対して回動自在に連結されてなり、上記右連結部材の左端又は右端の何れかは、上記右支持部材又は内側支持部材の何れか一方と着脱可能とされてなるとともに、該右連結部材の着脱可能とされていない右端又は左端は、該内側支持部材又は右支持部材に対して回動自在に連結されてなることから、左連結部材の左端又は右端の何れかと、上記右連結部材の左端又は右端の何れかを、それぞれを左支持部材、右支持部材、内側支持部材から取り外すことにより、該左連結部材と右連結部材は、該左支持部材、右支持部材、内側支持部材に沿わせることができる。
【００１７】
さらに、前記太陽光発電体は、可撓性を有するシート体上に、上記左支持部材及び右支持部材の長さ方向と同じ方向に長さを有する複数の太陽光発電素子が該左支持部材から右支持部材方向に所定間隔隔てた状態で並列して固定されてなるとともに、これらの太陽光発電素子と太陽光発電素子との間は山部と谷部とが交互に形成されるよう上記シート体が折曲可能とされてなることから、左支持部材が上記内側支持部材に近接するよう操作されるとともに上記右支持部材が上記内側支持部材に近接するよう操作されることにより、上記太陽光発電体は、縮小される。
【００１８】
すなわち、上述した構成に係る可搬式太陽光発電装置によれば、上記発電体支持部材を構成する各部材や各ベース部材及び太陽光発電体は、全て中央部分に収束された状態とすることができ、しかも、上記内側ベース部材の先端側の一側には、前記移動用車輪としての移動用車輪が転動自在に配置されてなるとともに、上記内側ベース部材の基端側には、前記作業者又は使用者が移動時に把持する把手が配置されてなることから、この把手を作業者等が把持しながら移動用車輪を転動させることにより、任意の場所に移動させることができ、極めて使い勝手の良いものとなる。したがって、この第４の発明に係る可搬式太陽光発電装置によれば、第２又は第３の発明に係る可搬式太陽光発電装置に比べて、更にコンパクト化することができ、移動時においても、一層簡単かつ容易なものとすることが可能となる。
【００１９】
なお、この発明を構成する太陽光発電体は、上記発電体支持部材を構成する上記左支持部材と右支持部材とが最も離間された状態において、該発電体支持部材に支持された太陽光発電体は、一枚の板状となった状態とされてなるものであるばかりではなく、第５の発明のように、発電状態おいて、山部と谷部とがそれぞれ交互に形成されてなり、各太陽光発電素子が傾斜した状態とされてなるものであっても良い。
【００２０】
また、第５の発明（請求項５記載の発明）は、上記第４の発明において、前記太陽光発電体は、前記左支持部材と右支持部材とが最も離間された状態において、前記発電体支持部材に支持された太陽光発電体は、山部と谷部とが交互に形成されてなり、各太陽光発電素子が傾斜した状態とされてなることを特徴とするものである。
【００２１】
この第５の発明に係る可搬式太陽光発電装置では、発電体支持部材に支持された太陽光発電体を構成する各太陽光発電素子は傾斜してなることから、所定面積における太陽光発電素子全体の数を増加させることができるばかりではなく、特定の太陽光発電素子ないし表面に形成されたガラス層又は樹脂層に照射された太陽光が反射し、その反射光を（上記谷部を間に介して）隣り合う他の太陽光発電素子に放射することができることから、全体として発電量を増加させることが可能となる。
【００２２】
また、第６の発明（請求項６記載の発明）は、上記第４の発明において、前記左支持部材又は前記右支持部材の何れかには、基端が収納ケース内に配置された巻き取りドラムの外周面に固定され、先端は上記左支持部材又は右支持部材の何れかに固定され又は着脱可能に係止されてなるとともに、前記太陽光発電体としての太陽光発電素子が形成されたフィルム状の可撓性太陽光発電体が配置されてなり、上記収納ケース内には、上記フィルム状の可撓性太陽光発電体を巻き取る方向に上記巻き取りドラムを付勢する弾性材が配置されてなることを特徴とするものである。
【００２３】
この第６の発明では、左支持部材と前記右支持部材とが接近するよう操作することにより、上記フィルム状の可撓性太陽光発電体の先端が該左支持部材又は前記右支持部材に固定されている場合には、上記弾性材の弾性力により該可撓性太陽光発電体は上記巻き取りドラムに自動的に巻き取られる。また、上記可撓性太陽光発電体の先端が、上記左支持部材又は右支持部材の何れかに着脱可能に係止されてなるものにあっては、当該係止状態を解除することにより、左支持部材と右支持部材とが接近させる操作とは無関係に、可撓性太陽光発電体は上記巻き取りドラムに巻き取られる。
【００２４】
また、第７の発明（請求項７記載の発明）は、上記第４の発明において、前記内側支持部材には、基端が収納ケース内に配置された巻き取りドラムの外周面に固定され、先端は上記左支持部材に固定され又は着脱可能に係止されてなるとともに、前記太陽光発電体としての太陽光発電素子が形成されたフィルム状の第１可撓性太陽光発電体と、基端が収納ケース内に配置された巻き取りドラムの外周面に固定され、先端は上記右支持部材に固定され又は着脱可能に係止されてなるとともに、前記太陽光発電体としての太陽光発電素子が形成されたフィルム状の第２可撓性太陽光発電体と、がそれぞれ平行に並んで配置されてなり、上記各収納ケース内には、上記フィルム状の第１可撓性太陽光発電体又は第２可撓性太陽光発電体を巻き取る方向に上記巻き取りドラムを付勢する弾性材がそれぞれ配置されてなることを特徴とするものである。
【００２５】
上記第７の発明に係る可搬式太陽光発電装置では、前記内側支持部材に、第１可撓性太陽光発電体を巻き取る巻き取りドラムが収納された収納ケースと第２可撓性太陽光発電体を巻き取る巻き取りドラムが収納された収納ケースとがそれぞれ平行に並んで配置されてなることから、該可搬式太陽光発電装置により発電する際もコンパクト化して移動させる際においても、太陽光発電体の荷重が一方向に偏ることが無く、良好な安定性を確保することができる。
【発明の効果】
【００２６】
上記第１の発明（請求項１記載の発明）に係る可搬式太陽光発電装置では、ベース部材の先端側と太陽光発電体を支持する発電体支持部材とは、回動自在に連結されていることから、使用状態において地面に対して水平に設置される各ベース部材と発電体支持部材との角度を変更することができ、また、上記各支柱部材は、上端は上記発電体支持部材の中途部において回動自在に連結され、下端は上記各ベース部材に取外し可能に係止され又は着脱可能に連結されてなるとともに、各ベース部材には、上記各支柱部材の下端が選択的に係止され又は連結される複数の係合部が該ベース部材の長さ方向に形成されてなることから、上記発電体支持部材（太陽光発電体）の角度を適宜変更することが可能となる。
【００２７】
さらに、この発明に係る可搬式太陽光発電装置では、上記移動用車輪と把手を備えているとともに、上記支柱部材の下端は、上記ベース部材に取外し可能に係止され又は着脱可能に連結されてなることから、この支柱部材の下端をベース部材との係合を解除させ又は取り外すとともに、上記ベース部材に支柱部材と発電体支持部材とが沿った状態となるように操作し、作業者又は使用者が上記把手を把持し移動させることにより、上記各移動用車輪は転動し、容易に他所に移動させることが可能となる。換言すれば、この可搬式太陽光発電装置によれば、全体形状をコンパクト化することができることから、倉庫その他の構造物内や自動車等に収容する際にも嵩張ることがないとともに、移動させる場合には、上記把手を把持しながら移動用車輪を転動させることにより、任意の場所に移動させることができ、極めて使い勝手の良いものとなる。
【００２８】
また、第２の発明（請求項２記載の発明）に係る可搬式太陽光発電装置では、太陽光発電体は複数の太陽光発電体、すなわち、第１ないし第３の太陽光発電体が上記発電体支持部材により支持されてなるものであり、最も一方方向（左側又は右側）に配置された（第２又は第３の）太陽光発電体の左端部と最も他方方向に配置された（第３又は第２の）太陽光発電体の右端部との間が、上記一方又は他方のスライドレールによりスライドガイドされることにより、接近及び離間自在とされてなるものであることから、使用状態（発電状態）においては、上記第１ないし第３の太陽光発電体により発電可能であるとともに、第２の太陽光発電体と第３の太陽光発電体とが第１の太陽光発電体と上下に重なるようにスライドすることにより、コンパクト化される。したがって、こうした可搬式太陽光発電装置によれば、上記第１の発明により奏される効果に加えて、より多くの電力を発電することができる。
【００２９】
また、第３の発明（請求項３記載の発明）に係る可搬式太陽光発電装置では、前記発電体支持部材の上端又は下端の少なくとも何れか一方には、前記第２の太陽光発電体が前記一方のスライドレールによってスライドガイドされる際に転動する一方のスライド用車輪が配置されてなるとともに該第２の太陽光発電体の一側には一方のスライド用把手が固定されてなり、前記第３の太陽光発電体が前記他方のスライドレールによってスライドガイドされる際に転動する他方のスライド用車輪が配置されてなるとともに該第３の太陽光発電体の他側には他方のスライド用把手が固定されてなることから、上記一方のスライド用車輪又は他方のスライド用車輪の転動により、上記第２の太陽光発電体や第３の太陽光発電体を極めてスムーズに一方方向又は他方方向に引き出すことが可能となり、また、該第１の太陽光発電体の上方に重なるように操作する場合もスムーズとなる。
【００３０】
また、第４の発明（請求項４記載の発明）に係る可搬式太陽光発電装置では、先ず、上記太陽光発電体を支持する発電体支持部材を構成する左支持部材、右支持部材、内側支持部材は、上記左側ベース部材、右側ベース部材、内側ベース部材の先端側と回動自在に連結されていることから、これらを回動させることにより、左支持部材と左側ベース部材とが、また、右支持部材と右側ベース部材とが、内側支持部材と内側ベース部材とが、それぞれ平行又はそれに近い状態に沿わせることができる。また、上記左連結部材の左端又は右端の何れかは、上記左支持部材又は内側支持部材の何れか一方と着脱可能とされてなるとともに、該左連結部材の着脱可能とされていない右端又は左端は、該内側支持部材又は左支持部材に対して回動自在に連結されてなり、上記右連結部材の左端又は右端の何れかは、上記右支持部材又は内側支持部材の何れか一方と着脱可能とされてなるとともに、該右連結部材の着脱可能とされていない右端又は左端は、該内側支持部材又は右支持部材に対して回動自在に連結されてなることから、左連結部材の左端又は右端の何れかと、上記右連結部材の左端又は右端の何れかを、それぞれを左支持部材、右支持部材、内側支持部材から取り外すことにより、該左連結部材と右連結部材は、該左支持部材、右支持部材、内側支持部材に沿わせコンパクト化することができる。
【００３１】
さらに、この第４の発明に係る可搬式太陽光発電装置では、前記太陽光発電体は、可撓性を有するシート体上に、上記左支持部材及び右支持部材の長さ方向と同じ方向に長さを有する複数の太陽光発電素子が該左支持部材から右支持部材方向に所定間隔隔てた状態で並列して固定されてなるとともに、これらの太陽光発電素子と太陽光発電素子との間は山部と谷部とが交互に形成されるよう上記シート体が折曲可能とされてなることから、左支持部材が上記内側支持部材に近接するよう操作されるとともに上記右支持部材が上記内側支持部材に近接するよう操作されることにより、上記太陽光発電体は、縮小される。したがって、この第４の発明に係る可搬式太陽光発電装置によれば、より装置全体をコンパクト化することが可能となり、移動時においても、一層簡単かつ容易なものとすることが可能となる。
【００３２】
また、第５の発明（請求項５記載の発明）に係る可搬式太陽光発電装置では、太陽光発電体は、前記左支持部材と右支持部材とが最も離間された状態において、前記発電体支持部材に支持された太陽光発電体は、山部と谷部とが交互に形成されてなり、各太陽光発電素子が傾斜した状態とされてなることから、所定面積における太陽光発電素子全体の数を増加させることができるばかりではなく、特定の太陽光発電素子ないし表面に形成されたガラス層に照射された太陽光が反射し、その反射光を（上記谷部を間に介して）隣り合う他の太陽光発電素子に放射することができることから、全体として発電量を増加させることが可能となる。
【００３３】
また、第６の発明（請求項６記載の発明）に係る可搬式太陽光発電装置では、左支持部材と前記右支持部材とが接近するよう操作することにより、上記フィルム状の可撓性太陽光発電体の先端が該左支持部材又は前記右支持部材に固定されている場合には、上記弾性材の弾性力により該可撓性太陽光発電体は上記巻き取りドラムに自動的に巻き取られる。また、上記可撓性太陽光発電体の先端が、上記左支持部材又は右支持部材の何れかに着脱可能に係止されてなるものにあっては、当該係止状態を解除することにより、左支持部材と右支持部材とが接近させる操作とは無関係に、可撓性太陽光発電体は上記巻き取りドラムに巻き取られる。したがって、第６の発明に係る可搬式太陽光発電装置によれば、装置全体をコンパクト化することができるばかりではなく軽量化も実現することが可能となる。
【００３４】
また、第７の発明（請求項７記載の発明）に係る可搬式太陽光発電装置では、前記内側支持部材に、第１可撓性太陽光発電体を巻き取る巻き取りドラムが収納された収納ケースと第２可撓性太陽光発電体を巻き取る巻き取りドラムが収納された収納ケースとがそれぞれ平行に並んで配置されてなることから、該可搬式太陽光発電装置により発電する際もコンパクト化して移動させる際においても、太陽光発電体の荷重が一方向に偏ることが無く、良好な安定性を確保することができる。
【図面の簡単な説明】
【００３５】
【図１】第１の実施の形態に係る可搬式太陽光発電装置を正面側から示す斜視図である。
【図２】第１の実施の形態に係る可搬式太陽光発電装置を背面側から示す斜視図である。
【図３】図１に示す可搬式太陽光発電装置の右側面図である。
【図４】図１に示す可搬式太陽光発電装置を縮小した状態を示す正面図である。
【図５】第２の実施の形態に係る可搬式太陽光発電装置を太陽光発電体と分離した状態を正面側から示す斜視図である。
【図６】図５に示す可搬式太陽光発電装置を背面側から示す斜視図である。
【図７】太陽光発電体を模式的に示す断面図である。
【図８】図６に示す可搬式太陽光発電装置を構成する連結部材や支柱部材の係合状態を解除した後の状態を示す斜視図である。
【図９】図５に示す可搬式太陽光発電装置を縮小した状態を正面側から示す斜視図である。
【図１０】図９に示す可搬式太陽光発電装置を背面側から示す斜視図である。
【図１１】図９に示す可搬式太陽光発電装置の右側面図である。
【図１２】第３の実施の形態に係る可搬式太陽光発電装置を正面側から示す斜視図である。
【図１３】第４の実施の形態に係る可搬式太陽光発電装置を正面側から示す斜視図である。
【発明を実施するための形態】
【００３６】
以下、本発明を実施するための最良の形態を、図面を参照しながら詳細に説明する。先ず、第１の実施の形態に係る可搬式太陽光発電装置について図面を参照しながら詳細に説明する。
【００３７】
この第１の実施の形態に係る可搬式太陽光発電装置１は、図１に示すように、第１、第２及び第３の太陽光発電体２，３，４を支持する発電体支持部材５と、この発電体支持部材５の下端（先端）の左側に先端が固定された左側ベース部材６と、上記発電体支持部材５の下端（先端）の右側に先端が固定された右側ベース部材７とを備えている。
【００３８】
上記第１ないし第３の太陽光発電体２，３，４は、それぞれ同一面積からなる平板状に成形され、上面には太陽光発電セルを集合させた太陽光発電素子が収納された複数の太陽光発電ユニットがガラスなどの透明な素材により封止されてなる太陽光発電体本体（符号は省略する。）と、これら太陽光発電体本体を固定してなる方形状の枠体２ａ，３ａ，４ａとから構成されている。なお、上記第１ないし第３の太陽光発電体本体は、図示しないケーブルないしリード線を介して直列した状態で電気的に接続している。そして、こうした第１ないし第３の太陽光発電体２，３，４を支持する上記発電体支持部材５は、図２に示すように、中央に方形状の開口が形成された枠板状の底板部５ａと、この底板部５ａの上端から正面側に起立してなる天板部５ｂと、上記底板部５ａの下端から正面側に起立してなり上記天板部５ｂと面対向してなる底板部５ｃ（図１参照）と、上記底板部５ａの背面の下端に固定され円筒状に成形された下側回動ガイドパイプ８Ａと、上記底板部５ａの背面の上端に固定され円筒状に成形されたが上側回動ガイドパイプ８Ｂと、を備えている。
【００３９】
また、上記発電体支持部材５を構成する上記底板部５ａ上には、図３に示すように、上記第３の太陽光発電体４が配置される第３の空間（符号は省略する。）は形成され、この第３の空間上には、上記第１の太陽光発電体２が配置される第１の空間（符号は省略する。）が形成され、さらにこの第１の空間上には、上記第２の太陽光発電体３が配置される第２の空間（符号は省略する。）が形成されている。そして、上記第２の空間と第３の空間との間に形成された上記第１の空間内には、上記第１の太陽光発電体２を固定する第１の固定部材９が固定されている。この第１の固定部材９は、底板部（符号は省略する。）と、この底板部の上端から起立され外側面は上記天板部５ｂの内側面に固定されてなる天板部（符号は省略する。）と、上記底板部の下端から起立されてなり外側面は上記底板部５ｃの内側面に固定されている底板部（符号は省略する。）とを備え、上記天板部の上端は内側にやや折曲されその先端側の下面は上記第１の太陽光発電体２の上面の一部に接触し、また上記底板部の上端もやや内側に折曲され先端側の下面は上記第１の太陽光発電体２の上面の一部に接触した状態とされている。なお、この第１の固定部材９を構成する上記天板部から底板部までの距離は、第１の太陽光発電体２の幅よりも長尺となされ、該第１の太陽光発電体２の上端と天板部との間と、第１の太陽光発電体２の下端と底板部との間には、それぞれスペーサ１０，１１が固定されている。また、上記第１の固定部材９の下方には、該第１の固定部材９と同一形状に成形された第３の固定部材１２が固定され、この第３の固定部材１２により上記第３の太陽光発電体４が固定されている。また、上記第１の固定部材９の上方には、該第１の固定部材９と同一形状に成形された第２の固定部材１３が固定され、この第２の固定部材１３により上記第２の太陽光発電体３が固定されている。
【００４０】
そして、図１又は図２に示すように、上記第３の太陽光発電体４の上端には上側スライドレール１５が固定され、その下端には、下側スライドレール１６が固定され、上記第２の太陽光発電体３の上端には上側スライドレール１７が固定され、その下端には、下側スライドレール１８が固定されている。これら各上側スライドレール１５，１７及び下側スライドレール１６，１８は、それぞれ上記第３の太陽光発電体４又は第２の太陽光発電体３の上面又は下面に固定された固定板部（符号は省略する。）と、この固定板部の一側から起立してなり該第３又は第２の太陽光発電体４，３の正面と面一とされた起立板部（符号は省略する。）と、この起立板部の一側から垂下し上記固定板部と面対向してなる対向板部（符号は省略する。）とから構成され略コ字状に成形されてなるものである。したがって、上記第３の太陽光発電体４に固定された上側スライドレール１５と下側スライドレール１６は、上記発電体支持部材５に固定された第３の固定部材１２の天板部及び底板部にガイドされながら固定された第１の太陽光発電体２から離間する方向にスライドされる。また、上記第２の太陽光発電体３に固定された上側スライドレール１７と下側スライドレール１８は、上記発電体支持部材５に固定された第２の固定部材１３の天板部及び底板部にガイドされながら固定された第１の太陽光発電体２から離間する方向にスライドされる。
【００４１】
そして、この第１の実施の形態に係る可搬式太陽光発電装置１では、図３に示すように、上記第３の固定部材１２を構成する天板部と底板部とのそれぞれ内側には、上記上側スライドレール１５や下側スライドレール１６を構成する起立板部より起立する回動軸（符号は省略する。）に回動可能に取り付けられ転動するスライド用車輪２０，２０と、該上側スライドレール１５及び下側スライドレール１６の固定板部及び上記第３の太陽光発電体４の上面及び下面に固定された回動軸（符号は省略する。）に回動可能に取り付けられ転動するスライド用車輪２１，２１が配置されている。また、上記第２の固定部材１３を構成する天板部と底板部とのそれぞれ内側には、上記上側スライドレール１７や下側スライドレール１８を構成する起立板部より起立する回動軸（符号は省略する。）に回動可能に取り付けられ転動するスライド用車輪２３，２３と、該上側スライドレール１７及び下側スライドレール１８の固定板部及び上記第２の太陽光発電体３の上面及び下面に固定された回動軸（符号は省略する。）に回動可能に取り付けられ転動するスライド用車輪２２，２２が配置されている。またさらに、図１に示すように、上記第３の太陽光発電体４の右側面には、右スライド操作用把手２４が固定され、上記第２の太陽光発電体３の左側面には、左スライド操作用把手２５が固定されている。したがって、後述するように、上記右スライド操作用把手２４を作業者が把持しながら右方向にスライド操作すると、上記第３の太陽光発電体４は、上記上側スライドレール１５や下側スライドレール１６が第３の固定部材１２によりガイドされるとともに上記スライド用車輪２０，２１が転動することにより、該第３の太陽光発電体３を極めてスムーズにスライド操作することができる。また、上記第２の太陽光発電体３は、上記上側スライドレール１７と下側スライドレール１８が上記第２の固定部材１３によりガイドされるとともに上記スライド用車輪２２，２３が転動することにより、該第２の太陽光発電体３を極めてスムーズにスライド操作することができる。なお、上記第２の固定部材１３の左端部には、上記第２の太陽光発電体３が該第２の固定部材１３から抜け落ちることを防止するための図示しないストッパーが固定され、上記第３の固定部材１２の右端部にも、上記第３の太陽光発電体４が該第３の固定部材１２から抜け落ちることを防止するための図示しないストッパーが固定されている。
【００４２】
なお、上記スライド用車輪２２，２３は、本発明を構成する一方のスライド用車輪であり、上記スライド用車輪２０，２１は、本発明を構成する他方のスライド用車輪である。そして、上記実施の形態に係る可搬式太陽光発電装置１では、上記スライド用車輪２２，２３，２０，２１をそれぞれ第２の固定部材１３や第３の固定部材１２にそれぞれ配置したが、上記スライド用車輪２２，２３を上側スライドレール１７と下側スライドレール１８に固定し、また、上記スライド用車輪２０，２１を上側スライドレール１５と下側スライドレール１６に固定したものであっても良い。
【００４３】
そして、図２に示すように、上記発電体支持部材５を構成する下側回動ガイドパイプ８Ａ内には、該下側回動ガイドパイプ８Ａの長さよりも長尺とされた円筒状に成形された下側回動軸２６が挿通されてなり、この下側回動軸２６の左端には、左移動用車輪２７が固定され、該下側回動軸２６の右端には、右移動用車輪２８が固定されている。また、上記下側回動軸２６の左端側中途部には、左側ベース部材６の基端が固定され、該下側回動軸２６の右端側中途部には、上記左側ベース部材６と平行とされた右側ベース部材７が固定されている。上記左側ベース部材６と右側ベース部材７とは同一の長さとされている。そして、上記左側ベース部材６と右側ベース部材７との上面には、それぞれ同一の位置に複数の係合凹部６ａ，７ａが形成されている。なお、これらの係合凹部６ａ，７ａは、図３に示すように、側面形状が半円状とされている。また、上記左側ベース部材６と右側ベース部材７との先端には上記下側回動軸２６と平行とされた移送用把手３５が固定されている。すなわち、この実施の形態に係る可搬式太陽光発電装置１では、上記下側回動軸２６，左側ベース部材６，右側ベース部材７及び上記移送用把手３５の四つの部材により方形状の枠体を形成している。
【００４４】
また、上記上側回動ガイドパイプ８Ｂは、上記下側回動ガイドパイプ８Ａと同一の長さに成形され該下側回動ガイドパイプ８Ａと平行に固定されてなるものであり、この上側回動ガイドパイプ８Ｂ内には、該上側回動ガイドパイプ８Ｂよりも長尺に成形された上側回動軸３７が挿通されている。そして、この上側回動軸３７の左端には、左側支柱部材４１が固定され、該上側回動軸３７の左端には、該左側支柱部材４１と平行とされ同一の長さに成形された右側支柱部材４３が固定されている。また、上記左側支柱部材４１の先端と右側支柱部材の４３の先端には、上記上側回動軸３７と平行とされ同一の長さに成形された係止杆部材４５が固定されている。なお、この係止杆部材４５は円筒状に成形されてなるものであり、上記係合凹部６ａ，７ａに選択的に係合される部材である。すなわち、この実施の形態に係る可搬式太陽光発電装置１では、上記左側支柱部材４１の下端は上記係止杆部材４５（の左端）を間に介して上記複数の係合凹部６ａに選択的に係合し、上記右側支柱部材４３の下端は上記係止杆部材４５（の右端）を間に介して上記複数の係合凹部７ａに選択的に係合されている。
【００４５】
したがって、上述した構成に係る可搬式太陽光発電装置１によれば、図１及び図２に示すように、第１の太陽光発電体２の左方向に第２の太陽光発電体３を位置させるとともに、上記第３の太陽光発電体４を第１の太陽光発電体２の右側に位置させることにより、全部で３つの太陽光発電体により発電させることができる。そして、上記第２の太陽光発電体３を上記左スライド操作用把手２５を把持しながら図１中右方向に力を作用させると、該第２の太陽光発電体３は、発電体支持部材５を構成する第２の固定部材１３に上側スライドレール１７や下側スライドレール１８にスライドガイドされるとともに、上記スライド用車輪２２，２３が転動することにより、該第２の太陽光発電体３は第１の太陽光発電体２の上方に移動され、また、第３の太陽光発電体４を、上記右スライド操作用把手２４を把持しながら図１中左方向に力を作用させると、該第３の太陽光発電体４は、発電体支持部材５を構成する第３の固定部材１２に上側スライドレール１５や下側スライドレール１６にスライドガイドされるとともに、上記スライド用車輪２０，２１が転動することにより、該第３の太陽光発電体４は第１の太陽光発電体２の下方に移動される（図４参照）。
【００４６】
そして、上記発電体支持部材５の上端をやや上方に持ち上げ、それまで互いに上記係止杆部材４５を間に介して係合していた上記左側支柱部材４１と係合凹部６ａとの係合状態及び右側支柱部材４３と係合凹部７ａとの係合状態が解除されるように、上記係止杆部材４５を、上記上側回動軸３７を中心に回動操作し、それまで持ち上げていた発電体支持部材５を下方に下ろすと、該発電体支持部材５の底板部５ａは、上記下側回動軸２６を中心に上記左支柱部材７や右支柱部材８と平行となるよう回動される。すると、上記移送用把手３５と係止杆部材４５とは互いに平行な状態で近接することから、この移送用把手３５を（又は係止杆部材４５と共に）把持しながら上方に持ち上げ、手前又は前方に移動操作することより、地面に接触している上記左移動用車輪２７及び右移動用車輪２８は転動し、任意の位置に移動させることができる。
【００４７】
なお、上記可搬式太陽光発電装置１を構成する太陽光発電体２，３，４は、上述したように、図示しないケーブル又はリード線により電気的に直列に接続されてなるとともに、図１ないし図３に示す収容ボックス５１内に収容された後述する各電気機器に接続されている。この収容ボックス５１は、正面側が開放された箱状に成形されてなるボックス本体５２と、このボックス本体５２内を仕切る複数の棚板５３，５４と、を備えている。上記ボックス本体５２は、底板部５２ａ、左側板部５２ｂ，右側板部５２ｃ、天板部５２ｄ及び背面板部５２ｅとから構成され、図２に示すように、上記背面板部５２ｅの下端には円筒部材５５が固定され、この円筒部材５５内には図示しない回動軸が挿通され、この回動軸の両端にはそれぞれキャスター５６，５７が固定されている。なお、上記底板部５２ａの前端側には、該底板部５２ａの下面から各キャスター５６，５７の底面までの長さと同じ厚みを備えた脚部材５８，５９が左右に固定され、この収容ボックス５１を地面に設置した際に、上記底板部５２ａ等が水平に位置するように構成されている。そして、上記底板部５２ａ上には、二次電池６０が収容され、上記下側の棚板５３上には、コンディショナー（変換器）６１が載置され、また、上記上側の棚板５４上には、コントローラ６２が載置されている。また、上記天板部５２ｄの上面の左右両側には、それぞれ作業者等が把持する把手６４，６５が固定されている。
【００４８】
したがって、この収容ボックス５１も、上記把手６４，６５を把持しやや収容ボックス本体５２を背面板部５２ｅ側に傾斜させると、該背面板部５２ｅの下方に配置された上記キャスター５６，５７のみが地面に接触し転動させることができ、容易に他所に移動させることができる。
【００４９】
次に、第２の実施の形態に係る可搬式太陽光発電装置７０に付いて図面を参照しながら詳細に説明する。
【００５０】
この可搬式太陽光発電装置７０は、図５に示すように、第１及び第２の太陽光発電体７１，７２を支持する発電体支持部材７３を備えてなるものであり、この発電体支持部材７３は、最も左側に配置された左支持部材７４と、最も右側に配置された右支持部材７５と、上記左支持部材７４と右支持部材７５との間よりもやや左側に配置された内側左支持部材７６と、この内側左支持部材７６に近接してなり該内側左支持部材７６と右支持部材７５との間に配置された内側右支持部材７７とを備えている。これら左支持部材７４、右支持部材７５、内側左支持部材７６及び内側右支持部材７７は、それぞれ互いに平行に配置されてなるものであり、上記第１の太陽光発電体７１は、上記左支持部材７４と内側左支持部材７６とにより支持され、上記第２の太陽光発電体７２は、上記内側右支持部材７７と右支持部材７５とにより支持されている。なお、これら第１及び第２の太陽光発電体７１，７２の詳細は、後述する。
【００５１】
そして、上記左支持部材７４と右支持部材７５とは、互いに対称形状に成形されてなるものであり、図５又は図６に示すように、長方形状に成形された天板部７４ａ，７５ａと、この天板部７４ａ，７５ａの左側又は右側から垂下するよう折曲されてなる側板部７４ｂ，７５ｂと、上記天板部７４ａ，７５ａの先端の右側又は左側から垂下し上記側板部７４ｂ，７５ｂと対向してなる一方の先端側連結片７４ｃ，７５ｃと、上記天板部７４ａ，７５ａの基端（上端）の右側又は左側から垂下し上記側板部７４ｂ，７５ｂと対向してなる一方の基端側連結片７４ｄ，７５ｄと、を備えている。そして、上記一方の先端側連結片７４ｃ，７５ｃと該一方の先端側連結片７４ｃ，７５ｃに対抗してなる側板部７４ｂ，７５ｂの先端側には、それぞれ左回動軸７３ａ又は右回動軸７３ｂが挿通されてなる図示しない軸挿通穴が穿設されている。また、上記一方の基端側連結片７４ｄ，７５ｄ及び該一方の基端側連結片７４ｄ，７５ｄと対向してなる上記側板部７４ｂ，７５ｂの基端側とには、（後述するように、折り畳まれる際に）それぞれ後述する水平ロッド７８の左側又は右側が挿通される円形状の開口７４ｅ，７５ｅが穿設されている。
【００５２】
また、上記内側左支持部材７６及び内側右支持部材７７は、互いに対称形状に成形されてなるものであり、上記第１又は第２の太陽光発電体７１，７２を支持する天板部７６ａ，７７ａと、この天板部７６ａ，７７ａの右側又は左側から垂下するよう折曲されてなる側板部７６ｂ，７７ｂと、上記天板部７６ａ，７７ａの先端の左側又は右側から垂下し上記側板部７６ｂ，７７の先端側と対向してなる一方の先端側連結片７６ｃ，７７ｃと、上記天板部７６ａ，７７ａの基端（上端）の左側又は右側から垂下し上記側板部７６ｂ，７７ｂの基端側と対向してなる一方の基端側連結片７６ｄ，７７ｄと、を備えている。そして、上記一方の先端側連結片７６ｃ，７７ｃと該一方の先端側連結片７６ｃ，７７ｃに対抗してなる側板部７６ｂ，７７ｂの先端側には、それぞれ中央回動軸８０が挿通された図示しない透孔（符号は省略する。）が穿設されている。また、上記一方の基端側連結片７６ｄ，７７ｄ及び該一方の基端側連結片７６ｄ，７７ｄと対向してなる側板部７６ｂ，７７ｂの基端側とには、それぞれ後述する水平ロッド７８の左側又は右側が挿通された円形状の開口（符号は省略する。）が穿設されている。そして、上記内側左支持部材７６及び内側右支持部材７７には、１本の水平ロッド７８が、左右両側が均等に突出した状態で固定されている。なお、上記側板部７６ｂと側板部７７ｂとは互いに固定されている。
【００５３】
なお、上記左支持部材７４を構成する側板部７４ｂの先端側中途部には、後述する左支柱部材８９の下端側を係止する左係止用突起８２が左側に水平に突設され、また、上記右支持部材７５を構成する側板部７５ｂの先端側中途部には、後述する右支柱部材９１の下端側を係止する右係止用突起８３が右側に突設されている。また、上記左支持部材７４を構成する側板部７４ｂの中途部の外側には、左支柱部材８９の上端側が支軸９０を中心に回動可能に取り付けられている。また、上記右支持部材７５を構成する側板部７５ｂの中途部の外側には、右支柱部材９１の上端側が支軸９２を中心に回動可能に取り付けられている。また、上記内側左支持部材７６を構成する側板部７６ｂの先端側中途部には、後述する内側左支柱部材９４の下端側を係止する内側左係止用突起１０３（図８参照）が左側に水平に突設されている。そして、この内側左支持部材７６を構成する側板部７６ｂの中途部の右側には、内側左支柱部材９４の上端側が支軸９３（図８参照）を中心に回動可能に取り付けられている。また、上記内側右支持部材７７を構成する側板部７７ｂの先端側中途部には、後述する内側右支柱部材９６の下端側を係止する内側右係止用突起９７が右側に水平に突設されている。そして、この内側右支持部材７７を構成する側板部７７ｂの中途部の右側には、内側右支柱部材９６の上端側が支軸９５を中心に回動可能に取り付けられている。そして、上記左支柱部材８９、右支柱部材９１、内側左支柱部材９４及び内側右支柱部材９６は、それぞれ長方形状に成形された主板部（符号は省略する。）と、この主板部の一側から折曲された折曲板部（（符号は省略する。）とから構成され、上記各主板部の先端側には、上記左係止用突起８２、右係止用突起８３、内側左係止用突起１０３（図８参照）又は内側右係止用突起９７若しくは後述する複数の左側（又は右側若しくは中央側）角度調節用突起の何れかに選択的に係合する係合穴（符号は省略する。）が形成されている。
【００５４】
そして、上記左支持部材７４と上記内側左支持部材７６とは、上側左連結部材９８と下側左連結部材９９とにより連結され、上記右支持部材７５と内側右支持部材７７とは、上側右連結部材１００と下側右連結部材１０１とにより互いに連結されている。上記上側左連結部材９８は、左端が上記左支持部材７４を構成する天板部７４ａの下面に固定された係合部７４ｆに対して取外し可能に係合してなり、その基端側は上記内側左支持部材７６を構成する天板部７６ａの下面に支軸７６ｆ（図５参照）を中心に回動自在に取り付けられている。なお、上記内側左支持部材７６を構成する天板部７６ａの下面であって上記支軸７６ｆの下方には、上記上側左連結部材９８の先端側を係止し保持する図示しない係止保持部が形成されている。また、上記上側左連結部材９８と下側左連結部材９９の幅は、それぞれ後述する左側ベース部材１０５を構成する底板部１０５ａの幅又は後述する内側左ベース部材１０７を構成する底板部１０７ａの幅と同じか又はその幅よりもやや長尺とされている。また、上記上側右連結部材１００と下側右連結部材１０１との幅は、それぞれ後述する右側ベース部材１０６を構成する底板部１０６ａの幅又は後述する内側右ベース部材１０８を構成する底板部１０８ａの幅と同じか又はその幅よりもやや長尺とされている。また、上記下側左連結部材９９は、右端が上記内側左支持部材７６を構成する天板部７６ａの下面に固定された係合部７６ｇ（図８参照）に対して取外し可能に係合してなり、その基端側は上記左支持部材７４を構成する天板部７４ａの下面に支軸７４ｇを中心に回動自在に取り付けられている。なお、上記天板部７４ａの下面であって上記支軸７４ｇの下方には、図５に示すように、上記下側左連結部材９９の先端側を係止し保持する係止保持部７４ｈが形成されている。また、上記上側右連結部材１００は、右端が上記右支持部材７５を構成する天板部７５ａの下面に固定された係合部７５ｆに対して取外し可能に係合してなり、その基端側は上記内側右支持部材７７を構成する天板部７７ａの下面に支軸７７ｇ（図５参照）を中心に回動自在に取り付けられている。なお、上記天板部７７ａの下方には、上記上側右連結部材１００の先端側を係止し保持する図示しない係止保持部が形成されている。また、上記下側右連結部材１０１は、左端が上記内側右支持部材７７を構成する天板部７７ａの下面に固定された係合部７７ｆに対して取外し可能に係合してなり、その基端側は上記右支持部材７５を構成する天板部７５ａの下面に支軸７５ｇを中心に回動自在に取り付けられている。なお、上記天板部７５ａの下方には、上記下側右連結部材１０１の先端側を係止し保持する係止保持部７５ｈが形成されている（図８参照）。
【００５５】
また、上記左支持部材７４の先端には、左側ベース部材１０５の先端側が該左支持部材７４に対して上記左回動軸７３ａを介して回動自在に連結され、上記右支持部材７５の先端側には、右側ベース部材１０６の先端側が該右支持部材７５に対して上記右回動軸７３ｂを介して回動自在に連結され、上記内側左支持部材７６の先端側には、内側左ベース部材１０７が該内側連結部材７６に対して上記中央回動軸８０を介して回動自在に連結され、上記内側右支持部材７７の先端側には、内側右ベース部材１０８が該内側右支持部材７７に対して上記中央回動軸８０を介して回動自在に連結されている。なお、上記内側左ベース部材１０７と内側右ベース部材１０８は、本発明を構成する内側ベース部材であり、この実施の形態では、該内側ベース部材が該内側左ベース部材１０７と内側右ベース部材１０８とにより構成されたものである。
【００５６】
そして、上記左側ベース部材１０５と右側ベース部材１０６とは、互いに対称に成形されてなるものであり、それぞれ長方形状に成形された底板部１０５ａ，１０６ａと、この底板部１０５ａ，１０６ａの右側又は左側から起立してなる起立板部１０５ｂ，１０６ｂとを備えている。そして、上記左側ベース部材１０５の先端側の右側には、上記起立板部１０５ｂと対向してなる他方の先端側連結片１０５ｃが形成され、上記右側ベース部材１０６を構成する底板部１０６ａの先端側の左側には、上記起立板部１０６ｂと対向してなる他方の先端側連結片１０６ｃが形成されている（図５参照）。そして、上記左側ベース部材１０５を構成する起立板部１０５ｂと他方の先端側連結片１０５ｃとには、それぞれ図示しない軸挿通穴が形成されてなるとともに、該起立板部１０５ｂと他方の先端側連結片１０５ｃとは、上記左支持部材７４を構成する側板部７４ｂと上記一方の先端側連結片７４ｃとの間に配置され、図示しない各軸挿通穴には先に説明した左回動軸７３ａが挿通されている。また、上記右側ベース部材１０６を構成する起立板部１０６ｂと他方の先端側連結片１０６ｃとには、それぞれ図示しない軸挿通穴が形成されてなるとともに、該起立板部１０６ｂと他方の先端側連結片１０６ｃとは、上記右支持部材７５を構成する側板部７５ｂと上記一方の先端側連結片７５ｃとの間に配置され、図示しない各軸挿通穴には先に説明した右回動軸７３ｂが挿通されている。なお、上記各起立板部１０５ｂ，１０６ｂの長さは、上記底板部１０５ａ，１０６ａの長さよりもやや長尺に形成され、該起立板部１０５ｂ，１０６ｂの基端側は起立板部１０５ｂ，１０６ｂの基端よりも突出している（図６参照）。また、上記起立板部１０５ｂの左側面には、３つの左側角度調節用突起１０９が突設され、上記起立板部１０６ｂの右側面には、３つの右側角度調節用突起１１０が突設されている。
【００５７】
また、上記左側ベース部材１０５の基端（上端）側の右側には、上記起立板部１０５ｂの基端側と対向してなる左起立片１０５ｄが形成され、この左起立片１０５ｄの先端側（下端側）と起立板部１０５ｂの中途部とには、図６に示すように、それぞれ上記水平ロッド７８の左側が収容される凹状の切欠き部１０５ｅ，１０５ｆが形成され、また、左起立片１０５ｄの基端側（上端側）と起立板部１０５ｂの基端側（上端側）とには、それぞれ後述する円柱状に成形された把手１０４の左側が挿通される凹状の切欠き部１０５ｇ，１０５ｈが形成されている。また、上記右側ベース部材１０６の基端（上端）側の左側には、上記起立板部１０６ｂの基端側と対向してなる右起立片１０６ｄが形成され、この右起立片１０６ｄの先端側（下端側）と起立板部１０６ｂの中途部とには、それぞれ上記水平ロッド７８の右側が収容される凹状の切欠き部１０６ｅ，１０６ｆが形成され、また、右起立片１０６ｄの基端側（上端側）と起立板部１０６ｂの基端側（上端側）とには、それぞれ後述する円柱状に成形された把手１０４の右側が挿通される凹状の切欠き部１０６ｇ，１０６ｈが形成されている。なお、上記切欠き部１０５ｅ，１０５ｆや切欠き部１０６ｅ，１０６ｆが形成された位置は、後述するように、上記左回動軸７３ａ又は右回動軸７３ｂ若しくは中央回動軸８０を中心に上記発電体支持部材７３全体を回動させた場合、上記左支持部材７４や右支持部材７５に形成された開口７４ｅ，７５ｅと連通する位置とされている。なお、中央部分が上記内側左ベース部材１０７や内側右ベース部材１０８に固定された上記把手１０４の長さは、図９又は図１０に示すように、上記水平ロッド７８よりも長尺に成形されている。
【００５８】
また、上記左側ベース部材１０５を構成する起立板部１０５ｂには、先端側から基端側にかけて、後述するように、折り畳んだ際、上記左係止用突起８２が挿通される第１の左溝部１０５ｋと、上記支軸９０が挿通される第２の左溝部１０５ｌとが形成されている。また、上記右側ベース部材１０６を構成する起立板部１０６ｂには、先端側から基端側にかけて、後述するように、この可搬式太陽光発電装置７１を折り畳んだ際、上記右係止用突起８３が挿通される第１の右溝部１０６ｋと、上記支軸９２が挿通される第２の右溝部１０６ｌとが形成されている。
【００５９】
また、内側左ベース部材１０７と内側右ベース部材１０８とは、互いに対称に成形されてなるものであり、それぞれ長方形状に成形された底板部１０７ａ，１０８ａと、この底板部１０７ａ，１０８ａの左側又は右側から起立してなる起立板部１０７ｂ，１０８ｂとを備えている。そして、上記内側左ベース部材１０７の先端側（下端側）の左側には、上記起立板部１０７ｂと対向してなる他方の先端側連結片１０７ｃが形成され（図５参照）、上記内側右ベース部材１０８を構成する底板部１０８ａの先端側の右側には、上記起立板部１０８ｂと対向してなる図示しない他方の先端側連結片が形成されている。そして、上記内側左ベース部材１０７を構成する起立板部１０７ｂと他方の先端側連結片とには、それぞれ図示しない軸挿通穴が形成されてなるとともに、該起立板部１０７ｂと他方の先端側連結片１０７ｃとは、上記内側左支持部材７６を構成する側板部７６ｂと上記一方の先端側連結片７６ｃとの間に配置され、図示しない各軸挿通穴には先に説明した中央回動軸８０が挿通されている。また、上記内側右ベース部材１０８を構成する起立板部１０８ｂと他方の先端側連結片とには、それぞれ図示しない軸挿通穴が形成されてなるとともに、該起立板部１０８ｂと他方の先端側連結片とは、上記内側右支持部材７７を構成する側板部７７ｂと上記一方の先端側連結片７７ｃとの間に配置され、図示しない各軸挿通穴には上記中央回動軸８０が挿通されている。また、上記起立板部１０７ｂ，１０８ｂの左側面又は右側面には、それぞれ図示しない３つの内側左側角度調節用突起又は内側右側角度調節用突起１１１がそれぞれ突設されている。
【００６０】
また、上記内側左ベース部材１０７の基端（上端）側の左側には、上記起立板部１０７ｂの基端側と対向してなる内側左起立片１０７ｄが形成され、この内側左起立片１０７ｄの先端側（下端側）と起立板部１０７ｂの中途部とには、図６に示すように、それぞれ上記水平ロッド７８の中央の左側中途部が収容される凹状の切欠き部１０７ｅ，１０７ｆが形成され、また、内側左起立片１０７ｄの基端側（上端側）と起立板部１０７ｂの基端側（上端側）とには、それぞれ後述する円柱状に成形された把手１０４の中央部のやや左側が挿通され固定された挿通穴（符号は省略する。）が形成されている。また、上記内側右ベース部材１０８の基端（上端）側の右側には、上記起立板部１０８ｂの基端側と対向してなる内側右起立片１０８ｄが形成され、この内側右起立片１０８ｄの先端側（下端側）と起立板部１０８ｂの中途部とには、それぞれ上記水平ロッド７８の中央の右側中途部が収容される凹状の切欠き部１０８ｅ，１０７ｆ（図６中では、１０７ｆとした。）が形成され、また、内側右起立片１０８ｄの基端側（上端側）と起立板部１０８ｂの基端側（上端側）とには、それぞれ円柱状に成形された挿通穴（符号は省略する。）が形成され、これらの挿通穴には、上記把手１０４の中央部のやや右側が挿通され固定された挿通穴（符号は省略する。）が形成されている。
【００６１】
また、上記内側左ベース部材１０７を構成する起立板部１０７ｂと上記内側右ベース部材１０８を構成する起立板部１０８ｂとは互い固定されてなり、これらの各起立板部１０７ｂ，１０８ｂには、それぞれ先端側から基端側にかけて、後述するように、この可搬式太陽光発電装置７１を折り畳んだ際、上記図示しない内側左係止用突起や内側右係止用突起９７が挿通される第１の中央溝部１０８ｋと、上記支軸９５が挿通される第２の中央溝部１０８ｌとが形成されている。
【００６２】
なお、上記中央回動軸８０の左右両端には、それぞれ移動用車輪１１３が固定されている。また、上記左側ベース部材１０５を構成する底板部１０５ａ、右側ベース部材１０６を構成する底板部１０６ａ、内側左ベース部材１０７を構成する底板部１０７ａ及び内側右ベース部材１０８を構成する底板部１０８ａの底面には、この可搬式太陽光発電装置７１を地上等に設置した際に、該左側ベース部材１０５等が傾斜することなく平行となるように、それぞれ脚部材１１４が固定されている。
【００６３】
そして、上記第１及び第２の太陽光発電体７１，７２は、それぞれ同一の形状に成形されてなるものであり、図７に示すように、折畳（折曲）可能なシート体１２０と、このシート体１２０の上面に、所定の間隔をおいて並列してなる複数の太陽光発電体本体１２２が固定されてなるものである。上記シート体１２０は、織布又は不職布若しくは樹脂製フィルム等のような可撓性を有する素材からなるものである。また、上記個々の太陽光発電体本体１２２は、内部に図示しない太陽光発電素子が配置されてなるものであり、上記左支持部材７４や右支持部材７５等の長さ方向と同じ方向に長さを有するものである。また、この実施の形態に係る可搬式太陽光発電装置７１では、これら太陽光発電体本体１２２と太陽光発電体本体１２２との間には、所定の間隔が形成され、特定の太陽光発電体本体１２２とこれに隣り合う他の太陽光発電体本体１２２との間では、上記シート体１２０が折曲され該折曲された部位が山部７１ａ，７２ａ（図５参照）となり、又は該折曲された部位が谷部７１ｂ，７２ｂとなり、上記山部７１ａ，７２ａと谷部７１ｂ，７２ｂとが交互に形成されることで、例えば、図７に示す状態から図５に示す状態に縮小可能とされてなるものである。そして、これら第１又は第２の太陽光発電体７１，７２は、上記シート体１２０の左端側下面が、上記左支持部材７４を構成する天板部７４ａ又は上記内側右支持部材７７を構成する天板部７７ａの上面に固定されてなるものであり、右端側下面が、上記内側左支持部材７６を構成する天板部７６ａ又は上記右支持部材７５を構成する天板部７５ａの上面に固定されている。なお、上記太陽光発電体本体１２２間はそれぞれ図示しないケーブル等により電気的に接続され、上記第１及び第２の太陽光発電体７１，７２も互いに電気的に接続されてなるとともに、前記第１の実施の形態に係る可搬式太陽光発電装置１と同じように、コンディショナー又は蓄電池に接続されている。また、上記それぞれの太陽光発電体本体１２２は、図示しないフィルム状の薄膜太陽光電池ないし太陽電池モジュール（例えば、三菱化学株式会社製のＥシリーズタイプ１等又は富士電機システムズ株式会社製のフィルム状の太陽電池モジュール）を使用しても良い。なお、この発明を構成する太陽光発電体は、発電時において、図７に示すように、上記シート体１２０が平板状となるタイプものは勿論、図５に示すように、上記山部７１ａ，７２ａと谷部７１ｂ，７２ｂとが交互に形成され、それぞれの太陽光発電体本体１２２がやや（例えば、上記天板部７４ａに対して２０から６０度の角度で）傾斜した状態とされるものであっても良い。そこで、以下の説明では、上述したように、発電時において個々の太陽光発電体本体１２２が傾斜した状態とされるタイプの可搬式太陽光発電装置７１の伸縮動作ないし縮小作業手順について説明する。
【００６４】
すなわち、上述した構成に係る可搬式太陽光発電装置７０を折り畳む場合には、上記水平ロッド７８を把持しながら、上記下側左連結部材９９の先端側と係合部７６ｇとの係合を解除するとともに、該下側左連結部材９９の先端側を上記係止保持部７４ｈに係止させ、該下側左連結部材９９と左支持部材７４を構成する天板部７４ａに沿わせる。また、上記上側左連結部材９８の先端側と係合部７４ｆとの係合を解除するとともに、該上側左連結部材９８の先端側を係止保持部７６ｇに係止させ、該上側左連結部材９８を内側左支持部材７６に沿わせる。また、上記下側右連結部材１０１の先端側と係合部７７ｆとの係合を解除するとともに、該下側右連結部材１０１の先端側を係止保持部７５ｈに係止させ、該下側右連結部材１０１を右支持部材７５に沿わせる。また、上記上側右連結部材１００の係合部７５ｆとの係合を解除するとともに、該上側右連結部材１００の先端側を図示しない係止保持部に係止させ、該上側右連結部材１００を内側右支持部材７７に沿わせる。
【００６５】
また、上記作業が終了すると、次いで、上記左支柱部材８９と左側ベース部材１０５との係合状態、右支柱部材９１と右側ベース部材１０６との係合状態、内側左支柱部材９４と内側左ベース部材１０７との係合状態及び内側右支柱部材９６と内側右ベース部材１０８との係合状態をそれぞれ解除する。そして、上記左支柱部材８９の先端側を上記左係止用突起８２に係合させ、該左支柱部材８９を、上記左支持部材７４を構成する側板部７４ｂに沿わせる。また、上記右支柱部材９１を、上記右支持部材７５の先端側を上記右係止用突起８３に係合させ、該右支柱部材９１を、上記右支持部材７５を構成する側板部７５ｂに沿わせる。また、上記内側左支柱部材９４を、上記内側左係止用突起１０３に係合させ、該内側左支柱部材９４を、上記内側左支持部材７６を構成する側板部７６ｂに沿わせる。また、上記内側右支柱部材９６を、上記内側右係止用突起９７に係合させ、該内側右支柱部材９６を、上記内側右支持部材７７を構成する側板部７７ｂに沿わせる。
【００６６】
そして、上記発電体支持部材７３を構成する左支持部材７４と上記左側ベース部材１０５とが、上記右支持部材７５と上記右側ベース部材１０６とが、上記内側左支持部材７６と内側左ベース部材１０７とが、また、上記内側右支持部材７７と内側右ベース部材１０８とがそれぞれ平行となるように、上記左回動軸７３ａ、右回動軸７３ｂ又は中央回動軸８０を中心に、上記発電体支持部材７３全体を倒すように回動させる。こうした操作により、上記左支持部材７４は、上記左側ベース部材１０５を構成する起立板部１０５ｂと左起立片１０５ｄとの間に収容され、また、上記右支持部材７５は、上記右側ベース部材１０６を構成する起立板部１０６ｂと右起立片１０６ｄとの間に収容され、また、上記内側左支持部材７６は、上記内側左ベース部材１０７を構成する起立板部１０７ｂと内側左起立片１０７ｄとの間に収容され、また、上記内側右支持部材７７は、上記内側右ベース部材１０８を構成する起立板部１０８ｂと内側右起立片１０８ｄとの間に収容される。
【００６７】
そして、上記作業が終了すると、次いで、上記左支持部材７４を上記内側左支持部材７６方向に移動させ、また、上記右支持部材７５を上記内側右支持部材７７方向に移動させる。こうした操作により、第１の太陽光発電体７１及び第２の太陽光発電体７２は、それぞれ上記各山部７１ａ，７２ａと山部７１ａ，７２ａ及び谷部７１ｂ，７２ｂがそれぞれ近接した状態となる。また、上記切欠き部１０５ｅ，１０５ｆや切欠き部１０６ｅ，１０６ｆが形成された位置は、後述するように、上記左回動軸７３ａ又は右回動軸７３ｂ若しくは中央回動軸８０を中心に上記発電体支持部材７３全体を回動させた場合、上記左支持部材７４や右支持部材７５に形成された開口７４ｅ，７５ｅと連通する位置に形成されていることから、上記水平ロッド７８の左側又は右側は、上記開口７４ｅ，７５ｅ及び上記切欠き部１０５ｅ，１０５ｆ、開口７４ｅ，７５ｅ、上記切欠き部１０６ｅ，１０６ｆにそれぞれ挿通される。なお、上記切欠き部１０５ｅ，１０５ｆ、１０６ｅ，１０６ｆをそれぞれ上記開口７４ｅ，７５ｅと同心円状となる閉塞された図示しない開口とすることも可能である。こうした構成を採用した場合には、上記左支持部材７４を上記内側左支持部材７６方向に移動させ、また、上記右支持部材７５を上記内側右支持部材７７方向に移動させる操作により、上記開口７４ｅ，７５ｅ及び図示しない開口にそれぞれ上記水平ロッド７８が挿通され、発電体支持部材７３と、上記左側ベース部材１０５等（右側ベース部材１０６、内側左ベース部材１０７及び内側右ベース部材１０８）が不用意に開いてしまうことを防止することができる。
【００６８】
こうした操作により、図５に示す可搬式太陽光発電装置７０は、図９ないし図１１にそれぞれ示すように、コンパクト化され、上記把手１０４の左右両側を把持しながら、この可搬式太陽光発電装置７０を上方に起立させると、上記各移動用車輪１１３が接地され、作業者の手前方向又は前方に引き又は押すことにより、該移動用車輪１１３は転動し任意の場所（例えば、倉庫その他）に用意に移動させることができる。そして、こうした倉庫その他において収容しておく場合には、上述したように、コンパクトされていることから複数の可搬式太陽光発電装置７０をより多く収容しておくことが可能となる。特に、この可搬式太陽光発電装置７０を構成する発電体支持部材７３は、第１及び第２の太陽光発電体７１，７２を支持する左支持部材７４や右支持部材７５が内側左支持部材７６や内側右支持部材７７に接近する（左支持部材７４と右支持部材７５とが接近する）構成を採用するとともに、該第１及び第２の太陽光発電体７１，７２は、山部７１ａ，７２ａと谷部７１ｂ，７２ｂとが交互に形成されて蛇腹状に伸縮可能な構造を採用したことから、先に説明した可搬式太陽光発電装置１と比較すると、より一層コンパクト化することが可能となり、極めて使い勝手を良好なものとすることが可能となる。また、上記第１及び第２の太陽光発電体７１，７２を発電時において、それぞれの太陽光発電体本体１２２が傾斜した状態とされるタイプとすることにより、所定面積における太陽光発電体本体１２２（太陽光発電素子）全体の数を増加させることができるばかりではなく、特定の太陽光発電体本体１２２ないしその表面に形成されたガラス層に照射された太陽光が反射し、その反射光を（上記谷部７１ｂ，７２ｂを間に介して）隣り合う他の太陽光発電体本体１２２に放射することができることから、全体として発電量を増加させることが可能となる。
【００６９】
なお、上記第２の実施の形態に係る可搬式太陽光発電装置７０では、本発明を構成する太陽光発電体として、少なくとも折畳時において、山部７１ａ，７２ａと谷部７１ｂ，７２ｂとが交互に形成される（第１及び第２の）太陽光発電体７１，７２を構成要素としたが、本発明は、こうした太陽光発電体に限定されるものではなく、フレキシブルな太陽電池（光電変換素子を有するシート状に成形されたシート体からなる太陽電池）を構成要素としたものであっても良い。以下、こうした太陽電池を構成要素とした可搬式太陽光発電装置１３０を、第３の実施の形態として説明する。
【００７０】
この第３の実施の形態に係る可搬式太陽光発電装置１３０は、図１２に示すように、先に説明した発電体支持部材７３上に二つの（第１及び第２の）可撓性の太陽光発電シート１３１，１３２が配置されてなるものである。これら第１及び第２の太陽光発電シート１３１，１３２は、それぞれ図示しないフィルム状の太陽光発電素子の両面から保護シートを貼り合わせたラミネート構造の可撓性太陽電池モジュールを備えてなるものであり、上記第１の太陽光発電シート１３１の先端（左端）は、前記左支持部材７４の天板部７４ａの上面に固定され、その基端は、前記内側左支持部材７６の天板部７６ａの上面に固定された一方の収納ケース１３５内に回動自在に配置された図示しない左巻き取りドラムに固定されている。上記一方の収納ケース１３５は円筒状に成形されてなるものであり、上記左巻き取りドラム内において支軸１３６を中心に回動自在とされてなるとともに、該一方の収納ケース１３５には、上記第１の太陽光発電シート１３１が挿通される図示しないスリットが形成されている。なお、上記第１及び第２の太陽光発電シート１３１，１３２は、本発明を構成する太陽光発電体である。また、この一方の収納ケース１３５内には、上記左巻き取りドラムが上記第１の太陽光発電シート１３１を巻き取る方向に付勢してなる図示しない弾性材（ねじりバネ）が配置されている。また、上記第２の太陽光発電シート１３２の先端（右端）は、前記右支持部材７５の天板部７５ａの上面に固定され、その基端は、前記内側右支持部材７７の天板部７７ａの上面に固定された他方の収納ケース１３７内に回動自在に配置された図示しない右巻き取りドラムに固定されている。上記他方の収納ケース１３７は円筒状に成形されてなるものであり、上記右巻き取りドラム内において支軸１３８を中心に回動自在とされてなるとともに、該他方の収納ケース１３７には、上記第２の太陽光発電シート１３２が挿通される図示しないスリットが形成されている。また、この他方の収納ケース１３７内には、上記右巻き取りドラムが上記第２の太陽光発電シート１３２を巻き取る方向に付勢してなる図示しない弾性材（ねじりバネ）が配置されている。なお、上記一方の収納ケース１３５は、上記天板部７６ａの上面の上端側及び下端側から起立した起立片１４１により固定され、また、上記他方の収納ケース１３７は、上記天板部７７ａ上面の上端側及び下端側から起立した起立片１３９により固定されている。
【００７１】
したがって、上記第３の実施の形態に係る可搬式太陽光発電装置１３０によれば、先に説明した要領により、上記左支持部材７４と右支持部材７５とが互いに接近するように操作することにより、上記第１又は第２の太陽光発電シート１３１，１３２は、上記一方の収納ケース１３５又は他方の収納ケース１３７内に配置された弾性材の弾性力により、該一方の収納ケース１３５又は他方の収納ケース１３７内に配置された左巻き取りドラム又は右巻き取りドラムの外周面に自動的に巻き取られる。
【００７２】
なお、上記第３の実施の形態に係る可搬式太陽光発電装置１３０では、第１又は第２の太陽光発電シート１３１，１３２の先端を、上記左支持部材７４又は右支持部材７５の上面に固定したものを図示して説明したが、これら第１及び第２の太陽光発電シート１３１、１３２は、必ずしもこれら左支持部材７４又は右支持部材７５に固定することなく、図１３に示すように、該左支持部材７４又は右支持部材７５に対して係止できるようにし、該左支持部材７４又は右支持部材７５に対して着脱可能としたものであっても良い。すなわち、この図１３に示す（第４の実施の形態に係る）可搬式太陽光発電装置１４０では、上記第１の太陽光発電シート１３１及び第２の太陽光発電シート１３２のそれぞれ先端に、それぞれ複数の（３つの）一方の左係止金具（フック）１４２又は一方の右係止金具（フック）１４３が配置された固定板部材１４５，１４６を固定する一方、上記左支持部材７４の天板部７４ａの上面又は上記右支持部材７５の天板部７５ａの上面には、上記一方の左係止金具１４２又は一方の右係止金具１４３が係止される他方の左係止金具１４８又は他方の右係止金具１４９を固定したものであっても良い。こうした構成に係る可搬式太陽光発電装置１４０によれば、必要に応じて上記第１及び第２の太陽光発電シート１３１，１３２を一方の収納ケース１３５や他方の収納ケース１３７と一体的に交換することが可能となる。
【００７３】
さらに、上記第３及び第４の実施の形態に係る可搬式太陽光発電装置１３０，１４０では、第１及び第２の太陽光発電シート１３１、１３２を構成要素としたが、図示しない単一の太陽光発電シートを、上記構成と同じ構成に係る収納ケース内に配置された巻き取りドラムに巻き取らせるものとし、こうした収納ケースを、上記左支持部材７４の天板部７４ａ又は上記右支持部材７５の天板部７５ａ上の何れか一方に固定し、該太陽光発電シートの先端を上記天板部７４ａ又は天板部７５ａの何れか一方に固定し又は上記一方の係止金具と他方の係止金具とにより互いに係止される構造としても良い。
【符号の説明】
【００７４】
１  可搬式太陽光発電装置
２  第１の太陽光発電体
３  第２の太陽光発電体
４  第３の太陽光発電体
５  発電体支持部材
６  左側ベース部材
６ａ  係合凹部
７  右側ベース部材
７ａ  係合凹部
１５  上側スライドレール
１６  下側スライドレール
１７  上側スライドレール
１８  下側スライドレール
２０，２１，２２，２３  スライド用車輪
２７  左移動用車輪
２８  右移動用車輪
３５  移送用把手
３７  上側回動軸
４１  左側支柱部材
４３  右側支柱部材
７０  可搬式太陽光発電装置
７１  第１の太陽光発電体
７１ａ  山部
７１ｂ  谷部
７２  第２の太陽光発電体
７２ａ  山部
７２ｂ  谷部
７３  発電体支持部材
７３ａ  左回動軸
７３ｂ  右回動軸
７４  左支持部材
７５  右支持部材
７６  内側左支持部材
７７  内側右支持部材
８０  中央回動軸
８９  左支柱部材
９０  支軸
９１  右支柱部材
９２  支軸
９４  内側左支柱部材
９６  内側右支柱部材
９８  上側左連結部材
９９  下側左連結部材
１００  上側右連結部材
１０１  下側右連結部材
１０４  把手
１０５  左側ベース部材
１０６  右側ベース部材
１０７  内側左ベース部材
１０８  内側右ベース部材
１０９  左側角度調節用突起
１１０  右側角度調節用突起
１１３  移動用車輪
１２０  シート体
１２２  太陽光発電体本体
１３０  可搬式太陽光発電装置
１３１  第１の太陽光発電シート
１３２  第２の太陽光発電シート
１４０  可搬式太陽光発電装置
【図１】
2014175352.tif 000003
【図２】
2014175352.tif 000004
【図３】
2014175352.tif 000005
【図４】
2014175352.tif 000006
【図５】
2014175352.tif 000007
【図６】
2014175352.tif 000008
【図７】
2014175352.tif 000009
【図８】
2014175352.tif 000010
【図９】
2014175352.tif 000011
【図１０】
2014175352.tif 000012
【図１１】
2014175352.tif 000013
【図１２】
2014175352.tif 000014
【図１３】
2014175352.tif 000015